(57)【要約】【課題】再利用品である平板形状の製品を録音・再生のための記録担体として用いることを可能とした、簡易且つ安価な構成で趣味性の高い平板蓄音機を提供すること。【解決手段】本発明は、記録担体５が載置され当該記録担体５と一体となって回転するターンテーブル４と、上記記録担体５の平面に当接する針１とコーン部材１１とを有し、当該針１を初期当接位置から上記ターンテーブル４の略中心に向けた方向に送るもので、当該針１の記録担体５の平面に対する当接角度及び当接位置を可変自在とするピックアップ６と、モータの駆動力を、上記ターンテーブル４の回転速度と上記ピックアップ６の送り速度とにそれぞれ変速する変速機構とを具備し、上記回転速度でターンテーブル４を回転させつつ上記送り速度でピックアップ６を送ることで、録音・再生を行う平板蓄音機に関し、上記コーン部材１１は成形品及び／又は振動振幅調整部で構成される。【選択図】      図１
2004199850.tif 000002
【特許請求の範囲】
【請求項１】
再利用品であり溝加工可能な平板形状の記録担体に所望とする音を録音し当該音を再生する平板蓄音機において、
上記記録担体が載置され、当該記録担体と一体となって回転する回転体と、
上記記録担体の平面に当接する針と音入出力部とを有し、当該針を初期当接位置から上記回転体の略中心に向けた方向に送るピックアップと、
上記回転体と上記ピックアップを駆動するための駆動部と、
上記駆動部の駆動力を、上記回転体の回転速度と上記ピックアップの送り速度とにそれぞれ変速する変速機構と、
上記録音と再生とを切り換えるための録音・再生切換部材と、
を具備し、録音時には当該録音・再生切換部材の一端に固着されている重錘の荷重を上記ピックアップの上記針の装着側にかけ、再生時には当該重錘の荷重を上記ピックアップの上記針の非装着側にかけることで、録音と再生とを切り換える、ことを特徴とする平板蓄音機。
【請求項２】
再利用品であり溝加工可能な平板形状の記録担体に所望とする音を録音し当該音を再生する平板蓄音機において、
上記記録担体が載置され、当該記録担体と一体となって回転する回転体と、
上記記録担体の平面に当接する針と音入出力部とを有し、当該針を初期当接位置から上記回転体の略中心に向けた方向に送るピックアップと、
上記回転体と上記ピックアップを駆動するための駆動部と、
上記駆動部の駆動力を、上記回転体の回転速度と上記ピックアップの送り速度とにそれぞれ変速する変速機構と、
その一端に重錘を有し、上記ピックアップの上記音入力部の配設面の中心を軸として回動自在に配設されており、その回動により録音と再生とを切り換えるための録音・再生切換部材と、
を具備し、上記録音・再生切換部材の回動により、録音時には当該録音・再生切換部材の一端に固着されている重錘の荷重を上記ピックアップの上記針の装着側にかけ、再生時には当該重錘の荷重を上記ピックアップの上記針の非装着側にかけることで、録音と再生とを切り換えることを更に特徴とする平板蓄音機。
【請求項３】
上記ピックアップの針を記録担体の中心位置へ移動するためのスライド板を更に有し、当該スライド板にラックギアと直線部とを形成し、当該スライド板が所定長だけ移動した後は、上記直線部により上記スライド板と上記駆動部のギアとの噛合を解くように構成されている、ことを更なる特徴とする請求項１又は２のいずれかに記載の平板蓄音機。
【請求項４】
上記音入出力部は、成形されたコーン部材と振動盤からなり、当該コーン部材は振動盤に対して着脱自在に構成されていることを更に特徴とする請求項１又２のいずれかに記載の平板蓄音機。
【請求項５】
再利用品であり溝加工可能な平板形状の記録担体に所望とする音を録音し当該音を再生する平板蓄音機において、
上記記録担体が載置され、当該記録担体と一体となって回転する回転体と、
上記記録担体の平面に当接する針と音入出力部とを有し、当該針を初期当接位置から上記回転体の略中心に向けた方向に送るピックアップと、
上記回転体と上記ピックアップを駆動するための駆動部と、
上記駆動部の駆動力を、上記回転体の回転速度と上記ピックアップの送り速度とにそれぞれ変速する変速機構と、
上記録音と再生とを切り換えるための録音・再生切換部材と、
を具備し、上記音入出力部は、振動板と当該振動板を固定する成形体からなるコーン部材と振動板固定部材とを少なくとも有することを特徴とする平板蓄音機。
【請求項６】
上記音入出力部は、更に針の振動振幅調整部と録音再生針保持部を有し、当該振動振幅調整部を調整することで、録音再生針保持部の振動の大きさを調整することを更に特徴とする請求項５に記載の平板蓄音機。
【請求項７】
上記振動板は、少なくとも一部の平面に波形部を有することを更に特徴とする請求項５に記載の平板蓄音機。  
【発明の詳細な説明】
【技術分野】
【０００１】
本発明は、例えば録音・再生が可能な蓄音機に係り、特に溝加工可能な平板（例えば、市販されているクリアファイル、プラスチック製品、ＣＤ等といった平板形状の製品の再利用品等）を録音・再生用の記録担体として用いる簡易且つ安価な構成の趣味性の高い平板蓄音機に関するものである。
【背景技術】
【０００２】
従来、テーパーのついた溝加工可能なコップ体を録音・再生用の記録担体として用い、この記録担体としてのコップ体に使用者の音声等をレコード溝として録音させることができ、当該コップ体に録音させた音声等を再生して聞くこともできる、録音・再生が可能な蓄音機が提供されている（例えば、特許文献１参照）。
【特許文献１】特許第２９０３００７号公報
【発明の開示】
【発明が解決しようとする課題】
【０００３】
しかしながら、上記特許文献１に係る技術では、録音・再生のための記録担体として、コップ体しか採用することができず、構成も当該コップ体への録音・再生に特化したものであることから、用途が非常に限定されていた。
【０００４】
しかるに、今日では、不要となったプラスチック製品やＣＤ等の平板形状の製品が身近に多数あり、これらを録音・再生のための記録担体として用いることは嘱望されているところであるが、そのような平板蓄音機は存在しない。
【０００５】
本発明は、上記問題に鑑みてなされたもので、その目的とするところは、不要となったプラスチック製品やＣＤ等といった身近にある様々な再利用品である平板形状の製品を録音・再生のための記録担体として用いることを可能とした、簡易且つ安価な構成で趣味性の高い平板蓄音機を提供することにある。
【課題を解決するための手段】
【０００６】
上記目的を達成するために、本発明の第１の態様では、再利用品であり溝加工可能な平板形状の記録担体に所望とする音を録音し当該音を再生する平板蓄音機において、上記記録担体が載置され、当該記録担体と一体となって回転する回転体と、上記記録担体の平面に当接する針と音入出力部とを有し、当該針を初期当接位置から上記回転体の略中心に向けた方向に送るピックアップと、上記回転体と上記ピックアップを駆動するための駆動部と、上記駆動部の駆動力を、上記回転体の回転速度と上記ピックアップの送り速度とにそれぞれ変速する変速機構と、上記録音と再生とを切り換えるための録音・再生切換部材と、を具備し、録音時には当該録音・再生切換部材の一端に固着されている重錘の荷重を上記ピックアップの上記針の装着側にかけ、再生時には当該重錘の荷重を上記ピックアップの上記針の非装着側にかけることで、録音と再生とを切り換える、ことを特徴とする平板蓄音機が提供される。
【０００７】
そして、本発明の第２の態様では、再利用品であり溝加工可能な平板形状の記録担体に所望とする音を録音し当該音を再生する平板蓄音機において、上記記録担体が載置され、当該記録担体と一体となって回転する回転体と、上記記録担体の平面に当接する針と音入出力部とを有し、当該針を初期当接位置から上記回転体の略中心に向けた方向に送るピックアップと、上記回転体と上記ピックアップを駆動するための駆動部と、上記駆動部の駆動力を、上記回転体の回転速度と上記ピックアップの送り速度とにそれぞれ変速する変速機構と、その一端に重錘を有し、上記ピックアップの上記音声入力部の配設面の中心を軸として回動自在に配設されており、その回動により録音と再生とを切り換えるための録音・再生切換部材と、を具備し、上記録音・再生切換部材の回動により、録音時には当該録音・再生切換部材の一端に固着されている重錘の荷重を上記ピックアップの上記針の装着側にかけ、再生時には当該重錘の荷重を上記ピックアップの上記針の非装着側にかけることで、録音と再生とを切り換えることを更に特徴とする平板蓄音機が提供される。
【０００８】
さらに、本発明の第３の態様では、上記第１又は第２の態様において、上記ピックアップの針を記録担体の中心位置へ移動するためのスライド板を更に有し、当該スライド板にラックギアと直線部とを形成し、当該スライド板が所定長だけ移動した後は、上記直線部により上記スライド板と上記駆動部のギアとの噛合を解くように構成されている、ことを更なる特徴とする平板蓄音機が提供される。
【０００９】
そして、本発明の第４の態様では、上記第１又は第２の態様において、上記音入出力部は、成形されたコーン部材と振動盤からなり、当該コーン部材は振動盤に対して着脱自在に構成されていることを更に特徴とする平板蓄音機が提供される。
【００１０】
本発明の第５の態様では、再利用品であり溝加工可能な平板形状の記録担体に所望とする音を録音し当該音を再生する平板蓄音機において、上記記録担体が載置され、当該記録担体と一体となって回転する回転体と、上記記録担体の平面に当接する針と音入出力部とを有し、当該針を初期当接位置から上記回転体の略中心に向けた方向に送るピックアップと、上記回転体と上記ピックアップを駆動するための駆動部と、上記駆動部の駆動力を、上記回転体の回転速度と上記ピックアップの送り速度とにそれぞれ変速する変速機構と、上記録音と再生とを切り換えるための録音・再生切換部材と、を具備し、上記音入出力部は、振動板と当該振動板を固定する成形体からなるコーン部材と振動板固定部材とを少なくとも有することを特徴とする平板蓄音機が提供される。
【００１１】
そして、本発明の第６の態様では、上記第５の態様において、上記音入出力部は、更に針の振動振幅調整部と録音再生針保持部を有し、当該振動振幅調整部を調整することで、録音再生針保持部の振動の大きさを調整することを更に特徴とする平板蓄音機が提供される。
【００１２】
また、本発明の第７の態様では、上記第５の態様において、上記振動板は、少なくとも一部の平面に波形部を有することを更に特徴とする平板蓄音機が提供される。
【発明の効果】
【００１３】
本発明によれば、不要となったプラスチック製品やＣＤ等といった再利用品である平板形状の製品を録音・再生のための記録担体として用いることを可能とした、簡易且つ安価な構成で趣味性の高い平板蓄音機を提供することができる。
【発明を実施するための最良の形態】
【００１４】
以下、図面を参照して、本発明の一実施の形態について説明する。
【００１５】
図１には本発明の一実施の形態に係る平板蓄音機を裏側から見た斜視図を、図２には本発明の一実施の形態に係る平板蓄音機を上側から見た平面図を、それぞれ示し、当該平板蓄音機の構成及び作用を詳細に説明する。
【００１６】
この実施の形態に係る平板蓄音機は、溝加工可能な平板形状の記録担体５に所望とする音、例えば操作者の声等を録音し、且つ当該音を再生するためのものであり、当該記録担体５としては、不要となったクリアファイル等のプラスチック製品やＣＤ等といった平板形状の製品の再利用品を用いることができる。つまり、針１の圧接により、その平板面にレコード溝を刻設することが可能な平板形状のものであれば、記録担体５として採用することができる。
【００１７】
この平板蓄音機の台本体２は、天板２ａと４枚の側板２ｂ乃至２ｅを図示の如く組合せて構成している。更に、ピックアップ６による針１の送りを良好なものとするために、天板２ａを図１及び図３に示すように所定の傾斜角をもって側板２ｂ乃至２ｅに取付けている。天板２ａには、詳細は後述するようにモータ３の駆動力により回転するターンテーブル４が配設されており、当該ターンテーブル４の回転軸部材４ａに記録担体５の孔を嵌合させることで、ターンテーブル４と記録担体５とを一体として所定の回転数で回転させるように構成している。このターンテーブル４は、請求項記載の回転体の一例に相当する。
【００１８】
この回転軸部材４ａをターンテーブル４に対して着脱自在に構成すれば、記録担体５としてクリアファイル等のプラスチック製品を所望とする形状に成形したものを用いる場合でも、ターンテーブル４と回転軸部材４ａとで、そのような記録担体５を挟持すれば、両者を一体に回転させることは可能である。
【００１９】
平板蓄音機には、更にピックアップ６が図示の如く配設されている。
【００２０】
このピックアップ６は、ピックアップアーム部材７と伸縮調整部材８，９、支持部材１０、コップ状のコーン部材１１、録音・再生切換部材１２、針１で構成されている。ピックアップアーム部材７は、ネジ１３，１４がピックアップアーム部材７に設けられた長孔７ａを貫挿しつつ伸縮調整部材８，９の不図示のネジ孔に螺着されることで、２枚の伸縮調整部材８，９により挟持されている。
【００２１】
このピックアップアーム部材７を挟持した伸縮調整部材８，９は、垂直支軸１５を回転中心とした回動の自由が確保されつつ、支持部材１０により支持されている。更に、支持部材１０は、水平支軸１６により、当該水平支軸１６を回転中心とした回動の自由が確保されつつ、スライド板１７により支持されている。
【００２２】
スライド板１７は、詳細は後述するが、第２スイッチ部１８内のピニオンギア１９がスライド板１７のラックギア１７ａと噛合することで、モータ３の駆動力によりレール板２０上を所定速度で移動するように構成されている。
【００２３】
コーン部材１１は、音又は針１の振動を受けて振動する底部１１ａを有しており、ピックアップアーム部７に固着されたコーン保持部２１に、例えば不図示のボルトとナットにより固定されている。コーン保持部２１には、不図示のネジ孔が２つ設けられており、ピックアックアーム部７の長孔７ｂ，７ｃを介してネジ２２，２３を当該ネジ孔に螺着することで、コーン保持部２１はピックアップアーム部７に固定される。
【００２４】
針１は、コーン部材１１の底部１１ａに外周側から中心方向に向けて挿入して粘着テープ等を用いて固定される。
【００２５】
ここで、図３には上記録音・再生切換部材１２の動作を示し、図１も適宜参照しつつ、当該録音・再生切換部材１２について説明する。
【００２６】
これら図１及び図３に示されるように、録音・再生切換部材１２は、その一端に圧接用の重錘２７（図１参照）を有しており、他端は支軸２４により当該支軸２４を回転中心とした回動の自由が確保されつつ支持されている。
【００２７】
このような構成において、録音時には、記録担体５にレコード溝を刻設するために、図３の破線位置に録音・再生切換部材１２を設定し、ピックアップアーム部材７の一端に固着された重錘２６の荷重に加えて重錘２７による更なる荷重を針１に与える。一方、再生時には、図３の実線位置に録音・再生切換部材１２を設定し、ピックアップアーム部材７の一端に固着された重錘２６の荷重と録音時に比べて軽減された重錘２７による荷重を針１に与える。このように、本実施の形態に係る平板蓄音機では、簡易な構成の録音・再生切換部材１２の操作により簡易且つ迅速な録音・再生の切換えが可能となっている。
【００２８】
更に、図４には、非録音・再生時における上記ピックアップ６の収納状態を示し、説明する。先に挙げた図１乃至図３では、録音・再生時におけるピックアップ６の位置を図示していたが、非動作時においては図４に実線で示す位置にピックアップ６は収納され、コーン部材１１に針１を装着する際には図４に破線で示す位置にピックアップ６は収納される。より詳細には、前者ではピックアップ６は第１の保持部材４０により保持され、後者では第２の保持部材４１により保持される。これら、第１及び第２の保持部材４０，４１は、いずれもスライド板１７上に配設されている。この一実施の形態に係る平板蓄音機では、針１を用いていることから、安全性を高める観点より、かかる構成としている。特に図４に実線で示した収納状態では、針１の先端はレール板２０の平面に向いている（或いは当接している）ので、安全性が高まっていることは明らかである。
【００２９】
以上説明したような構成において、上記ネジ１３，１４を緩めて伸縮調整部材８，９とピックアップアーム部材７との挟持関係（挟持位置）を調整すれば、コーン部材１１に固定された針１の記録担体５に対する当接位置を調整することができる。更に、ネジ２２，２３を緩めてコーン部材１１（コーン保持部２１と一体）を支軸２４を中心に回転させれば、コーン部材１１に固定された針１の記録担体５に対する当接角度θを調整することができる。この実施の形態では、記録担体５として、市販されているプラスチック製品を再利用する等、種々のものを用いることを想定しているが、硬度の高い材質のものを記録担体５として用いる場合には当接角度θが大きくなるように、硬度の低い材質のものを記録担体５として用いる場合には当接角度θが小さくなるように適宜設定する。
【００３０】
更に、記録担体５に細かいレコード溝を安定した状態下で刻設する為には、ピックアップ６の長手方向線に向けてターンテーブル４の回転中心（回転軸部材４ａの配設位置）より引いた垂線上に針１の当接位置があることが好ましい。かかる点に鑑みて、本実施の形態に係る平板蓄音機では、天板２ａに上記条件に適合した位置を指標する目印２５を設けている。従って、上述した調整により当該目印２５からターンテーブル４の回転中心に向けた線上に針１の当接位置がくるように簡易且つ迅速に調整することも可能である。
【００３１】
次に図５には実施の形態に係る平板蓄音機が採用した変速機構４２の構成（図２のＺ−Ｚ線に沿う断面図）を示し、図６には当該平板蓄音機の内部構造（図２の平面図において天板２ａを取り除いた場合の内部構造）を示し、図７には図６の一部拡大図を示し、変速機構４２の構成、作用について詳細に説明する。
【００３２】
この実施の形態に係る平板蓄音機では、１つのモータ３の駆動力が、後述するように変速機構４２により変速されて、ターンテーブル４、ピニオンギア１９に伝達され、ターンテーブル４上の記録担体５が図２のＡ方向に第１の速度（ターンテーブル４の回転数に相当）で回転するのに連動して、ピニオンギア１９と噛合したラックギア１７ａを有するスライド板１７が図２のＢ方向に第１の速度よりも微小な第２の速度（ピックアップ６の送り速度に相当）で移動する。
【００３３】
即ち、モータ３の回転軸に固着されたプーリー３ａとプーリー２８にはゴムベルト３８が巻装されており、このような関係によりモータ３の駆動力はプーリー３ａ及びゴムベルト３８を介してプーリー２８に伝達される。このプーリー２８は、軸部材３１に固着されており、更に当該軸部材３１にはプーリー２９も固着されていることから、プーリー２８の回転により軸部材３１も回転し、更にはプーリー２９も回転する。このプーリー２９とターンテーブル４のプーリー４ｂにはゴムベルト３９が巻装されており、このプーリー２９の回転によりターンテーブル４も回転することになる。このとき、プーリー３ａの直径に比してプーリー２８の直径は大きく、更にプーリー２９の直径に比してターンテーブル４のプーリー４ｂの直径は大きいことから、かかる比率に基づいて、ターンテーブル４はモータ３の回転数より減速された回転数で回転することになる。
【００３４】
一方、プーリー２９にはピニオンギア３０も固着されており、上記プーリー２９とピニオンギア３０は一体となって回転する。このピニオンギア３０の回転力は、軸部材３２を中心として回転自在に配設された段付き歯車（上段の平歯車と下段のピニオンギアが一体となり構成、以下、同じ）３３に伝達され、当該段付き歯車３３は回転する。そして、段付き歯車３３の回転力は、軸部材３４を中心として回転自在に配設された段付き歯車３５に伝達され、当該段付き歯車３５は回転する。そして、段付き歯車３５の回転力は、軸部材３２を中心として回転自在に配設された段付き歯車３６に伝達され、当該段付き歯車３６は回転する。さらに、この段付き歯車３６の回転力は、軸部材３４に固着された平歯車３７に伝達され、当該平歯車３７は回転する。こうして、平歯車３７に固着された軸部材３４が当該平歯車３７と一体となって回転し、軸部材３４の上端に固着されたピニオンギア１９が回転することになる。このとき、上記ピニオンギア３０の直径に比して段付き歯車３３の平歯車の直径は大きく、段付き歯車３３のピニオンギアの直径に比して段付き歯車３５の平歯車の直径は大きく、段付き歯車３５のピニオンギアの直径に比して段付き歯車３６の平歯車の直径は大きく、段付き歯車３６のピニオンギアの直径に比して平歯車３７の直径は大きいことから、これらの比率に基づいて、更に減速された回転数でピニオンギア１９は回転することになる。
【００３５】
こうして、ピニオンギア１９の回転力は、当該ピニオンギア１９と噛合しているラックギア１７ａを一部に有するスライド板１７に伝達される。そして、スライド板１７は、上述のように変速機構４２により減速された速度（送り速度）でレール板２０上を図２の初期位置から図２のＢ方向に移動することで、ターンテーブル４の回転中にピックアップ６を所定速度で送ることになる。
【００３６】
このように、実施の形態に係る平板蓄音機では、１つのモータ３の駆動力を変速機構４２によりそれぞれ変速して、ターンテーブル４、スライド板１７（ピックアック６）の両者に伝達することで、両者の好適な連動を図り、ひいては記録担体５に細かいレコード溝を微細ピッチで刻設することを実現する。
【００３７】
なお、スライド板１７のラックギア１７ａの終端には、直線部１７ｂが設けられており、スライド板１７は所定長だけ移動した後は、直線部１７ｂによりピニオンギア１９との噛合が解かれるので、その段階でスライド板１７（ピックアップ６）の図２のＢ方向への移動は解除されることになる。これにより、記録担体５の中心位置から所定半径のエリアに針１が進むのを防止し、針１と回転軸部材４ａとの衝突等による平板蓄音機の誤動作を防止している。
【００３８】
また、ピニオンギア１９には押下部材４３も固着されており、動作中に当該押下部材４３を押下すると、ピニオンギア１９が図５のＣ方向に移動し、ラックギア１７ａとの噛合が解除され、スライド板１７の移動、ひいてはピックアップ６の移動は中断される。また、初期設定に際しては、押下部材４３を押下し、ピニオンギア１９とラックギア１７ａとの噛合を解除すれば、スライド板１７を手動で図２に示すような初期位置に戻すことが可能となる。
【００３９】
以下、図１乃至図７を適宜参照しつつ、実施の形態に係る平板蓄音機による録音、再生時に実行される一連の動作を説明する。
【００４０】
録音時には、押下部材４３を押下することにより、ピニオンギア１９とラックギア１７ａとの噛合を解除し、スライド板１７をレール板２０上、図２に示す初期位置に移動させる。そして、コーン部材１１に針１が装着されていない場合には、ピックアック６を図４に破線で示す状態に回転移動させ、コーン部材１１に針１を装着する。このとき、コーン部材１１に固着された不図示の針保持部に針１を装着してもよい。
【００４１】
次いで、ターンテーブル４に記録担体５を装填する。このとき、回転軸部材４ａに記録担体５の中心部の孔を嵌合させる。或いは、ターンテーブル４と回転軸部材４ａにより記録担体５の中心部分を挟持する。
【００４２】
次いで、ピックアップ６の伸縮調整部材８，９のネジ孔に螺着されているネジ１３，１４を緩め、伸縮調整部材８，９によるピックアックアーム部材７の挟持力を緩め、ピックアップ６の長さを調整すると共に、ネジ２２，２３を緩め、コーン部材１１を支軸２４を中心に回転させることで、針１の記録担体５に対する当接角度θを調整する。
【００４３】
即ち、ここでは、記録担体５に用いる製品の材質、硬度等に応じて当接角度θを調整すると共に、針１の先端、つまり当接位置が目印２５からターンテーブル４の回転中心に向けた線上にくるように調整する。
【００４４】
そして、録音時には、録音・再生切換部材１２を図３に破線で示す位置まで移動させ、針１に更なる重錘２７の荷重を与える。以上の設定の後、第１スイッチ部４４をオンすると、電池４５によりモータ３が駆動される。尚、電池４５及びモータ３は、請求項記載の駆動部の一例に相当する。モータ３の回転速度は、前述したように変速機構４２により２種に変速された後に、それぞれターンテーブル４、ピニオンギア１９に伝達される。そして、ターンテーブル４が図２のＡ方向に回転すると共に、ピニオンギア１９と噛合しているラックギア１７ａを有するスライド板１７が図２のＢ方向に移動する。
【００４５】
ところで、針１を記録担体５の端部に載せる際、ピックアップ６が支持部材１０よりも気持ち外寄りとなるように載せ、電源を投入すると、ターンテーブル４が回転し、外に振れているピックアップ６が安定する位置に戻ろうとする。これは、台本体２の天板２ａに傾斜を付していることにより、ピックアップ６及び針１が重力の作用により早く安定点に戻ろうとするためである。
【００４６】
これにより、最初は広めの間隔で溝を刻んでいき、振り子の作用によりピックアップ６が安定する地点（ピックアップ６の長手方向線に向けてターンテーブル４の回転中心（回転軸部材４ａの配設位置）より引いた垂線上の当接位置）に達すると、ピックアップ６がスライド板１７に沿ってゆっくり移動するため、安定した細かいレコード溝が刻設されるようになる。この時、記録担体５の平面に針１の先端が圧接しているので、ピックアップ６のコーン部材１１に口を近づけて大きな声で話すと、この音によって針１が振動し、この針振動によって記録担体５の平面にレコード溝が刻設され、所望とする音を録音することができる。しかも、この実施の形態では、ターンテーブル４、スライド板１７（即ちピックアック６）の両者の好適な連動により、記録担体５に細かいレコード溝を微細ピッチで刻設することを実現している。
【００４７】
こうしてスライド板１７が図２のＢ方向に所定長だけ移動した後には、直線部１７ｂによりピニオンギア１９との噛合が解かれ、その段階でスライド板１７（ピックアップ６）の図２中のＢ方向への移動は解除されるので、針１が記録担体５の中心位置から所定半径のエリアには入ることはない。この状態で、第１スイッチ部４４をオフすれば、所望とする音の録音が完了されることになる。
【００４８】
一方、再生時には、スライド板１７を図２に示す初期位置に移動させ、ピックアップ６の録音・再生切換部材１２を図３の実線位置に移動させ、針１を記録担体５のレコード溝に位置合わせし、第１のスイッチ部４４をオンすれば、レコード溝の波で針１が振動し、この針１の振動でコーン部材１１の底部１１ａが振動して録音された音が出力され、再生が行われる。この場合のターンテーブル４とピックアップ６の好適な連動については、録音時と同様である。尚、レコード溝に合わせなくても初めの溝ピッチ幅を広く取っておけば、初めの溝部分がガイドとなり、針１がうまくレコード溝にのり、音を再生することができる。
【００４９】
以上説明したように、本発明の一実施の形態に係る平板蓄音機では、身近にある様々な、ある程度の硬度が有る平板形状の製品（例えば、お弁当の容器の蓋やクリアファイル、ラミネート加工した写真、ＣＤ等、溝加工可能な平板であればその種類・形状等を問わない）を記録担体５として用いることができ、簡易且つ安価な構成により所望とする音を録音し、更には再生することができる。
【００５０】
そして、かかる録音時には、ピックアップ６とターンテーブル４の好適な関係での連動により、記録担体５に細かいピッチで微細なレコード溝を刻設することを可能としている。また、簡単な構成の録音・再生切換部材１２を移動させるだけで、簡易に録音・再生のいずれかに切り換えることを可能としている。
【００５１】
また、記録担体５に対する針１の当接位置や当接角度をピックアップ６の操作により簡易に調整自在な構成となっており、身近にある様々な製品を記録担体５に再利用する場合に、どのようなものにはどの程度の当接角度が好適か等、適宜実験することもできるので、実験用途での学習効果も期待できる。
【００５２】
以上、本発明の実施の形態について説明したが、本発明はこれに限定されることなく、その主旨を逸脱しない範囲で種々の改良・変更が可能である。
【００５３】
例えば、上記実施の形態では、変速機構４２として、複数の段付き歯車等を用いた構成を採用していたが、これに限定されず、種々の構成を採用することができる。また、上記実施の形態では、天板２ａと４枚の側板２ｂ乃至２ｅを組合せて台本体２を構成していたが、これに限定されず、中厚手の質感のよい高級紙を使用した紙スリーブを併用し、組み合わせパーツの問題を解消しつつプラスチックによる質感を隠すようにしてもよいことは勿論である。
【００５４】
また、上記実施の形態では、コーン部材１１は、音又は針１の振動を受けて振動する底部１１ａを有しており、ピックアップアーム部７に固着されたコーン保持部２１に、例えば不図示のボルトとナットにより固定されており、当該コーン部材１１の底面１１ａが所謂振動盤としての役割を担っている。
【００５５】
しかしながら、このコーン部材１１として、例えば紙コップを使用した場合、コーン部材１１全体が紙であることから、録音時の振動を更に安定させ、再生時の音も更に良質なものとすることが嘱望される。
【００５６】
このような点に鑑みて、以下では、録音及び再生の動作の安定性の向上、音質の向上の観点から前述したような実施の形態の改良例を提案する。
【００５７】
尚、図８は改良例に係る平板蓄音機の振動板２周辺の構成を示す一部断面図であり、図９は当該平板蓄音機の再生時に係る振動板２周辺の構成を示す正面図であり、図１０は当該平板蓄音機の録音時に係る振動板２周辺の構成を示す正面図であり、図１１は当該振動板２の再生時の支点距離を説明する為の図であり、図１２は当該振動板２の録音時の支点距離を説明するための図である。以下、これらの図を適宜参照する。
【００５８】
即ち、図８に示される改良例の構成では、コーン部材１０１を成形体（この材質としては、例えばプラスチック部材等を適宜選択可能）とする。そして、振動板１０２をコーン部材１０１と振動板固定部材１０３とで挟み込む形で固定する。
【００５９】
尚、これらの固定方法については、種々の手法を採用し得る。
【００６０】
この振動板固定部材１０３には、詳細は後述するように、針１０５の振動振幅調整部１０６ａが配設可能である（図８では不図示であるが、反対面にも振動振幅調整部１０６ｂが配設される）。振動板１０２の中心点１０９には孔が設けられており、当該孔には録音再生針保持部１０４を取付けることが可能となっている。従来の蓄音機の振動板１０２としては、主に合金が採用されているが、改良例では、安価で身近、且つ良い音を得るための素材を採用する。即ち、この改良例に係る平板蓄音機では、例えばスチロール板、アルミ板、ポリプロピレン、ＰＥＴ等を採用する。更に、この改良例では、振動板１０２に波形部１１０を設けることで、振動をより伝え易くする工夫がなされている。
【００６１】
この改良例では、振動板１０２に紙とは別の素材を採用することで、使用者により満足のいく音の録音・再生を可能とする。また、振動板２は本体に簡単に装着可能であることから、使用者が各自の裁量で種々の素材を振動板２として試すことができるという実験効果を得ることも可能である。実際の取付にあたっては、図１のコーン部材１１がコーン部材１０１に置き換わり、図１のコーン保持部２１の役目を振動板固定部材１０３が果たすように、図８に示す構成全体が図１のピックアップ６に取付けられることになる。
【００６２】
上記の他、この実施の形態の改良例では、針の振動振幅調整部１０６ａ，ｂにより良質の音を得る工夫をなしている。以下、かかる工夫について更に詳細に説明する。
【００６３】
即ち、図９，１０に示されるように、振動板固定部材１０３に振動振幅調整部１０６を振動振幅調整部固定軸１１１ａ，１１１ｂを軸としてシーソー状に揺動自在に配設する。
【００６４】
そして、録音再生針保持部１０４に支点孔１０７ａ，１０７ｂ，１０８ａ，１０８ｂを設け、再生時は図９に示されるように針先側の支点孔１０７ａ，１０７ｂに振動振幅調整部１０６ａ，１０６ｂに設けたフック部を係止する（係止する方法は支点孔及びフック部に限らず任意でよい）。これにより、振動板１０２の中心点１０９から支点孔部分にあたる支点Ｘまでの距離（図１１のＡ）が、支点Ｘから針１０５の先端まで（図１１のＢ）の距離に対して大きくなり、振動板側の録音再生針保持部１０４が大きく振れる為、音の増幅作用が高まり、より高音質の再生が可能となる。尚、距離Ａと距離Ｂの比率は、前者の方が大きければ、例えば２：１とする等、種々の比率とすることが可能である。
【００６５】
一方、録音時は振動板１０２の中心１０９より支点孔１０８ａ，１０８ｂに振動振幅調整部１０６ａ，１０６ｂに設けたフック部を係止する。これにより、振動板１０２の中心点１０９から切欠部分にあたる支点Ｘ’までの距離（図１２のＡ）が、支点Ｘ’から針先まで（図１２のＢ）の距離に比して小さくなるため、針先側の録音再生針保持部１０４が大きく振れることになる。尚、この場合の距離Ａと距離Ｂとの比率は、後者の方が大きくなれば、例えば１：２とする等、種々の比率とすることが可能である。
【００６６】
以上の作用により、コーン部材１０１より吹き込まれた音がより増幅されるため、音を確実に針先に伝え、録音することが可能となる。また、振動振幅調整部１０６ａ，１０６ｂにより、録音再生針保持部１０４を強く固定するために不動の支持を与える構成としている。具体的には、種々の構成が考えられるが、バネにより圧力を与え、安定構造とする手法が一例としてあげられる。つまり、振動振幅調整部１０６ａ，１０６ｂが支点孔１０７ａ，１０７ｂ又は支点孔１０８ａ，１０８ｂで強く係止されることでその位置でしっかり固定された状態になるが、同時にその切換もワンタッチ方式とすることができる。
【００６７】
尚、振動板１０２の中心点１０９から支点孔部分にあたる支点Ｘまでの距離（図１１，図１２のＡ）と支点Ｘから針先までの距離（図１１，図１２のＢ）の比率を、上記した改良例では、図１１では２：１、図１２では１：２でもよいとしているが、これらに限定されることなく、種々の比率とすることが可能である。
【００６８】
以上、本発明の実施の形態及び改良例について説明したが、本発明には以下の内容も含まれることは勿論である。
【００６９】
（１）  溝加工可能な平板形状の記録担体に所望とする音を録音し当該音を再生する平板蓄音機において、
上記記録担体が載置され、当該記録担体と一体となって回転する回転体と、
上記記録担体の平面に当接する針と音入出力部とを有し、当該針を初期当接位置から上記回転体の略中心に向けた方向に送るピックアップと、
上記回転体と上記ピックアップを駆動するための駆動部と、
上記駆動部の駆動力を、上記回転体の回転速度と上記ピックアップの送り速度とにそれぞれ変速する変速機構と、
を具備し、上記回転速度で回転体を回転させつつ上記送り速度でピックアップを送ることで、録音時には記録担体に当接した針により音入出力部より入力された音に基づくレコード溝を所定ピッチで刻設し、再生時には当該針がレコード溝の波で振動して音入出力部より音を再生出力する、
ことを特徴とする平板蓄音機。
【００７０】
（２）  上記ピックアップは、上記針の記録担体の平面に対する当接角度及び当接位置を可変自在とすることを更に特徴とする（１）に記載の平板蓄音機。
【００７１】
（３）  上記録音と再生とを切り換えるための録音・再生切換部材をさらに有し、録音時には当該録音・再生切換部材の一端に固着されている重錘の荷重を上記ピックアップの上記針の装着側にかけ、再生時には当該重錘の荷重を上記ピックアップの上記針の非装着側にかけることで、録音と再生とを切り換えることを更に特徴とする（１）又は（２）のいずれかに記載の平板蓄音機。
【００７２】
（４）  上記記録担体は、平板形状の製品の再利用品であることを更に特徴とする（１）乃至（３）のいずれかに記載の平板蓄音機。
【００７３】
（５）  天板を含む台本体を更に有し、当該台本体の天板が所定の傾斜角を有することを更に特徴とする（１）乃至（４）のいずれかに記載の平板蓄音機。
【図面の簡単な説明】
【００７４】
【図１】本発明の一実施の形態に係る平板蓄音機を裏側から見た斜視図。
【図２】本発明の一実施の形態に係る平板蓄音機を上側から見た平面図。
【図３】本発明の一実施の形態に係る平板蓄音機が採用した録音・再生切換部材１２の動作を説明するための図。
【図４】本発明の一実施の形態に係る平板蓄音機の非録音・再生時における上記ピックアップ６の収納状態を示す図。
【図５】図２の平面図のＺ−Ｚ線に沿う断面図。
【図６】図２の平面図において天板２ａを取り除いた内部構造を示す図。
【図７】図６の一部拡大図。
【図８】本発明の改良例に係る平板蓄音機の振動板２周辺の構成を示す一部断面図。
【図９】本発明の改良例に係る平板蓄音機の再生時に係る振動板２周辺の構成を示す正面図。
【図１０】本発明の改良例に係る平板蓄音機の録音時に係る振動板２周辺の構成を示す正面図。
【図１１】本発明の改良例に係る平板蓄音機の振動板２の再生時の支点距離を説明する為の図。
【図１２】本発明の改良例に係る平板蓄音機の振動板２の録音時の支点距離を説明するための図。
【符号の説明】
【００７５】
１・・・針、２・・・台本体、３・・・モータ、４・・・ターンテーブル、５・・・記録担体、６・・・ピックアップ、７・・・ピックアップアーム部材、８・・・伸縮調整部材、９・・・伸縮調整部材、１０・・・支持部材、１１・・・コーン部材、１２・・・録音・再生切換部材、１３・・・ネジ、１４・・・ネジ、１５・・・垂直支軸、１６・・・水平支軸、１７・・・スライド板、１８・・・第２スイッチ部、１９・・・ピニオンギア、２０・・・レール板、２１・・・コーン保持部、２２・・・ネジ、２３・・・ネジ、２４・・・支軸、２５・・・目印、２６・・・重錘、２７・・・重錘、２８・・・プーリー、２９・・・プーリー、３０・・・ピニオンギア、３１・・・軸部材、３２・・・軸部材、３３・・・段付き歯車、３４・・・軸部材、３５・・・段付き歯車、３６・・・段付き歯車、３７・・・平歯車、３８・・・ゴムベルト、３９・・・ゴムベルト、４０・・・第１の保持部材、４１・・・第２の保持部材、４２・・・変速機構、４３・・・押下部材、４４・・・第１スイッチ部、４５・・・電池、１０１・・・コーン部材、１０２・・・振動板、１０３・・・振動板固定部材、１０４・・・録音再生針保持部、１０５・・・針、１０６ａ，１０６ｂ・・・振動振幅調整部、１０７ａ，１０７ｂ，１０８ａ，１０８ｂ・・・支点孔、１０９・・・振動板１０２の中心点、１１０・・・振動板１０２の波形部、１１１・・・振動振幅調整部固定軸。
【図１】
2004199850.tif 000003
【図２】
2004199850.tif 000004
【図３】
2004199850.tif 000005
【図４】
2004199850.tif 000006
【図５】
2004199850.tif 000007
【図６】
2004199850.tif 000008
【図７】
2004199850.tif 000009
【図８】
2004199850.tif 000010
【図９】
2004199850.tif 000011
【図１０】
2004199850.tif 000012
【図１１】
2004199850.tif 000013
【図１２】
2004199850.tif 000014